(57)【要約】【課題】  日本の伝統工芸である絞り染めの「絞り」の工程では、絞り染めの技法によって括り方がそれぞれ異なるため、作業者への技術の伝承が難しく、また、多くの手間がかかることから、人手の確保が困難である。【解決手段】  ２巻きで最適な防染範囲が得られるように括り糸の番手を算出して、その番手の括り糸の糸巻きを作成して、あらかじめ作業者に提供しておくようにすることで、作業者への技術の伝授を容易に行うことができる、絞り染めの括り方法及び絞り染めの括り用糸巻きを提供する。【選択図】      図１０
2014148771.tif 000002
【特許請求の範囲】
【請求項１】
染料に浸した時の絞り粒の防染範囲を決定し、生地に絞り点を下絵刷りする生地準備工程と、
括り糸の巻き数を２回として、かつ、前記生地準備工程で決定した絞り粒の防染範囲になるように、括り糸の番手を算出する番手算出工程と、
前記番手算出工程で算出した番手に相当する括り糸を撚り、糸巻きに巻きつける糸巻き製作工程と、
該糸巻きに巻きつけられた括り糸を用いて、絞り点が位置する箇所の生地を夫々２巻きで括る生地括り工程と、
を備えることを特徴とする絞り染めの括り方法。
【請求項２】
前記生地準備工程で決定した絞り粒の防染範囲になるように、伝統的な括り糸の番手と巻き数の組み合わせを選定する基本設計工程を備え、
前記番手算出工程は、前記基本設計工程において選定した伝統的な括り糸の番手と巻き数の組み合わせに基づいて、巻き数を２回とした場合の括り糸の番手を算出することを特徴とする請求項１記載の絞り染めの括り方法。
【請求項３】
決められた防染範囲を得るための伝統的な括り糸の番手と巻き数の組み合わせから、巻き数を２回とした場合に同じ防染範囲になる括り糸の番手を算出して、該番手に相当する括り糸を撚って巻きつけたことを特徴とする絞り染めの括り用糸巻き。
【発明の詳細な説明】
【技術分野】
【０００１】
本発明は、日本の伝統工芸である絞り染めの製作において、「括り」の工程における生地の括りの方法及び生地の括りに用いる糸巻きに関する。
【背景技術】
【０００２】
日本の伝統工芸である絞り染めは、生地の一部を糸で括ったり、縫い締めたりすることで、生地に染料が染み込まないようにして、独特の模様を創り出すこととしている。その代表的な絞り染めとしては、京都府京都市の「京鹿の子」や愛知県名古屋市の「有松・鳴海絞り」などが良く知られている。
【０００３】
その代表的な絞り染めである「有松・鳴海絞り」では、絞り染め製品を企画する絞り製造問屋（本明細書では以下「発注元」と言う。）のもとで、それぞれの工程ごとに専門職による分業が行われることが一般的である。
【０００４】
その標準的な工程を図１２に示す。絞り染め製品の製造では、発注元が決めた図案に沿って型紙に穴を彫る工程（型彫り・Ｓ１０１）と、型彫りされた型紙を白生地にあてがい青花の液で絵を刷る工程（絵刷り・Ｓ１０２）と、生地に刷られた点（本明細書では以下「絞り点」と言う。）を目印に生地を括り糸で括る工程（括り・Ｓ１０３）と、括りの工程を終えた生地を染料等に浸して染める工程（染色・Ｓ１０４）と、染め上げた生地から括り糸を抜く工程（糸抜き・Ｓ１０５）と、糸抜きをした生地に蒸気をあてる「湯のし」をして製品に仕上げる工程（仕上げ・Ｓ１０６）と、を、それぞれの専門職が分業している。なお、ステップ１０３の「括り」の工程を「絞り」と称して説明する場合もあるが、本明細書では「括り」と称して説明する。
【０００５】
これらの工程のなかでも、ステップ１０３の「括り」の工程はもっとも手間がかかり、多くの事業所及び作業者が関わることになる。また「鹿の子」「縫」「巻上」「三浦」「蜘蛛」「柳」などの技法により生地を括る方法や用いる道具が異なるため、「括り」の工程を担当する事業所の多くは、すべての絞り染めの技法に対応するのではなく、それぞれ得意とする技法を持つことが一般的である。
【０００６】
このようなことから、「括り」の工程における作業者の育成が重要であるが、一方では括り加工の技術の伝授が難しいという問題がある。特に、絞り粒あたりの括り糸の巻き数が多い加工には、作業者の高い技術が必要になるため、作業者の育成に多大な時間を要する。
【０００７】
たとえば、代表的な絞り染めである「横引き鹿の子絞り」では、一粒あたりの巻き回数が２回から７回と絵柄等により異なっており、もっとも需要があるものは一粒あたりの巻き回数が４回（４巻絞り）以上の製品となっている。
【０００８】
ここで、従来における４巻絞りの作業者の育成方法を説明する。はじめに複数の作業者に対して、横引き鹿の子台の操作と一粒あたりの巻き回数が２回の括り加工を伝授する。その後、２巻きの加工を半年から１年続けた後、複数の作業者のなかから技術が高い作業者を選んで、一粒あたりの巻き回数が３回の括り加工を伝授する。その後、３巻きの加工を半年から１年続けた後、さらに技術が高い作業者を選んで、一粒あたりの巻き回数が４回の括り加工を伝授することになる。
【０００９】
このように、４巻絞りができる作業者の育成には、２年近い歳月が必要になる。また、作業者が技術を習得するためには、一粒あたりの巻き回数が２〜３回のものの加工の経験が必要になるが、４巻絞りに比べて巻き回数が２〜３回のものの需要が少ないことから、段階を踏んで作業者を育てていくことは困難な状況にある。
【００１０】
そのため、総絞りなどの絞り粒の数が多い製品においては、括りの工程に多くの人員を配置する必要があることから、高い技術を有する作業者が確保できないという問題も生じている。
【００１１】
また、高い技術を有する作業者であっても、一粒あたりの巻き回数が多くなると、一日における作業量が限られるため、これらの工程を経た絞り染め製品は高価なものになってしまう。
【００１２】
最近では、人件費の安い中国やカンボジアなどで「括り」の工程を行うことが一般的になっているが、これらの国々においても、作業者の育成が困難であるという問題は同様である。また、今後、人件費が高騰した場合には、製品価格を抑えることが難しくなるとも予想されている。
【００１３】
そのため、「括り」の工程の自動化を容易にし、併せて斬新な模様形成を可能とした絞り具と当該絞り具の装着装置、および絞り方法等の技術が提案されている。（例えば特許文献１を参照）。
【先行技術文献】
【特許文献】
【００１４】
【特許文献１】特開２０１１−１９０５５０号公報
【発明の概要】
【発明が解決しようとする課題】
【００１５】
上記の特許文献１は、絞り染めの「括り」の工程を、作業者に対して特別な技術の伝授を要することなく、シリコンゴム製の絞り具と専用の装着装置を用いて機械的に行うもので、糸で括る工程を経た生地と同様の生地を得ることができることとするが、以下の点で課題は解決されていない。
【００１６】
すなわち、上述のように、絞り染めの業界は伝統的に専門職の分業により成り立っているため、比較的小規模な事業所が多くなっている。したがって、事業所の数量に応じて専用の装着装置を導入するためには経済的な負担が大きくなる。また、個人の住宅等を事業所として使用する場合もあり、係る事業所では専用の装着装置を稼働させるスペース等を確保することが困難である。
【００１７】
そのため、特許文献１に開示された専用の装着装置を導入できる事業所は限られることから、問題の解決にはならない。
【００１８】
そこで、本発明では、特別な機械の導入を必要とすることなく、一般的な事業所に備える道具を用いて行う「括り」の方法であって、作業者への技術の伝授を容易に行うことができる、生地の括り方法及び生地の括りに用いる糸巻きを提供することを目的とする。
【課題を解決するための手段】
【００１９】
そのため、本発明の絞り染めの括り方法では、染料に浸した時の絞り粒の防染範囲を決定し、生地に絞り点を下絵刷りする生地準備工程と、括り糸の巻き数を２回として、かつ、前記生地準備工程で決定した絞り粒の防染範囲になるように、括り糸の番手を算出する番手算出工程と、前記番手算出工程で算出した番手に相当する括り糸を撚り、糸巻きに巻きつける糸巻き製作工程と、該糸巻きに巻きつけられた括り糸を用いて、絞り点が位置する箇所の生地を夫々２巻きで括る生地括り工程と、を備えることを特徴とする。
【００２０】
ここで「絞り粒」とは、絞り染めにおいて模様の単位となる生地を括った箇所をいう。「絞り点」とは、絞り粒の位置を示すために生地に下絵刷りされた目印をいう。
【００２１】
「番手」とは、糸の太さを表す単位であって、一定の重さに対して長さがいくらかで表される。そのため、番手の数値が小さいほど太い糸であり、番手の数値が大きいほど細い糸である。
【００２２】
本発明によれば、絞り染め製品により絞り粒の防染範囲が異なる場合であっても、糸巻き製作工程で製作された所定の糸巻きを用いることで、括り糸の巻き数を２回とすることができるので、絞り染めの「括り」の工程に従事する作業者の負担を大幅に軽減することができる。
【００２３】
また、本発明の絞り染めの括り方法は、前記生地準備工程で決定した絞り粒の防染範囲になるように、伝統的な括り糸の番手と巻き数の組み合わせを選定する基本設計工程を備え、前記番手算出工程は、前記基本設計工程において選定した伝統的な括り糸の番手と巻き数の組み合わせに基づいて、巻き数を２回とした場合の括り糸の番手を算出することを特徴とする。
【００２４】
ここで「伝統的な括り糸の番手と巻き数の組み合わせ」とは、伝統工芸である絞り染めにおいて伝承されてきた、括り糸の番手と巻き数の組み合わせを意味する。
【００２５】
本発明によれば、伝承されてきた組み合わせを忠実に再現させることができるので、より確実に高品質の絞り染め製品を製作することができる。
【００２６】
なお、本発明の絞り染めの括り用糸巻きは、決められた防染範囲を得るための伝統的な括り糸の番手と巻き数の組み合わせから、巻き数を２回とした場合に同じ防染範囲になる括り糸の番手を算出して、該番手に相当する括り糸を撚って巻きつけたことを特徴とする。
【発明の効果】
【００２７】
本発明によれば、伝統工芸である絞り染めの「括り」の工程において、新たに特別な機械を導入することなく、技術の伝授を容易にすることができる絞り染めの括り方法及び絞り染めの括り用糸巻きを提供することができる。
【図面の簡単な説明】
【００２８】
【図１】鹿の子絞りの染め上がりにおいて、白い部分が防染範囲であることを表す写真である。
【図２】「横引き鹿の子台」の全体を示す写真である。
【図３】「横引き鹿の子台」の先端部分に備えられた針の場所を示す写真である。
【図４】括り糸が巻き付けられていない状態のコロ（糸巻き）を示す写真である。
【図５】括り糸が巻き付けられた状態のコロ（糸巻き）を示す写真である。
【図６】本実施形態の絞り染めの括り方法を用いた横引き鹿の子絞りにおいて、一粒に糸を２回巻いた状態を示す図である。
【図７】従来技術を用いた横引き鹿の子絞りにおいて、一粒に糸を４回巻いた状態を示す図である。
【図８】本発明の絞り染めの括り方法を用いた横引き鹿の子絞りの染色後における生地の状態を示す写真である。
【図９】従来技術を用いた横引き鹿の子絞りの染色後における生地の状態を示す写真である。
【図１０】本実施形態の絞り染めの加工方法における作業フローを説明する図である。
【図１１】括り作業において、はじめに巻いた括り糸と次に巻いた括り糸とで結び目を作り、生地に糸をきつく締めた状態を保持することを示す図である。
【図１２】従来における絞り染めの製造工程において、分業が行われる標準的な工程を示すフロー図である。
【発明を実施するための形態】
【００２９】
以下、本発明の一実施の形態を図面に基づいて説明する。
図１は、絞り染めにおいて、染料を染み込ませないことで模様を創り出すことを説明する写真である。これは代表的な絞り染めの技法である「鹿の子絞り」の染め上がりであり、矢印で示す白い部分が括り糸を括ることによる防染範囲となっている。
【００３０】
ここで「鹿の子絞り」には、「縦引き」「横引き」「突き出し」などの技法があり、それぞれに生地の括り方や使用する道具が異なっている。なかでも生地を横に引きながら生地を括っていく「横引き」では、作業者に高い技術が求められる。
【００３１】
具体的には、図２（写真）に示す「横引き鹿の子台」という道具を用いて、生地に下絵刷りされた一粒の中心点（絞り点）が山の中心になるように折り畳み、横引き鹿の子台の尖端部分に設え付けられた針（図３）に絞り点を引っ掛けて固定し、針の下の生地を括り糸で数回括り、終わったら横にずらして次の絞り点に移動する。
【００３２】
また、括り作業には「コロ」と呼ばれる糸巻きが用いられる。「コロ」とは、作業者が括り作業を行いやすいように、取り扱いやすいサイズの木製等の糸巻きに括り糸を巻き付けたものを言う。図４は括り糸が巻き付けられていない状態のコロを、図５は括り糸が巻き付けられた状態のコロを、それぞれ示す写真である。
【００３３】
その使用方法としては、上記の横引き鹿の子台の尖端部分に設え付けられた針に、生地の絞り点を引っ掛けて固定し、括り糸が巻き付けられた状態のコロを回すことで針の下の生地を括り上げる。
【００３４】
次に、括り作業に用いる糸等を選ぶ一般的な方法について説明する。たとえば「横引き鹿の子絞り」では、任意の大きさの防染範囲を得るため、一粒に対して括り糸で２回から７回巻くこととしている。ここで括り糸として使用する糸は、綿糸５０／２／４（５０番手２本撚りしたものを４本まとめて撚ったもの）や、綿糸４０／２／４（４０番手２本撚りしたものを４本まとめて撚ったもの）が一般的であり、使用する括り糸の番手と巻き数の組み合わせは、伝統と職人の経験に基づいて決められている。これらを換算すると、横引き鹿の子絞りの括りの工程では、綿番手５番手相当の太さの糸が使用されていることになる。
【００３５】
本実施形態の絞り染めの加工方法では、横引き鹿の子絞りで一般的に使用される綿番手５番手相当の糸を、さらに撚糸機を用いて複数本撚糸することで、所定の綿番手の太さの括り糸を製造する。具体的には、３番手相当から１番手相当の太さの括り糸とするが、その絞り染め製品ごとの番手の算出方法については後述する。
【００３６】
本実施形態では、リング式撚糸機を用いて、綿糸が任意の太さになるように撚糸するが、これら撚糸の撚り回数については、３００〜１０００回が好ましい。撚りの方向は、右撚り、左撚りのいずれでも良い。撚りの種類としては、片撚り、共撚り、駒撚りなどであっても良い。また、括り糸として使用する糸は、綿糸と化繊の混合糸でも良い。
【００３７】
発注者はこれらの工程で得られた括り糸を使用したコロをあらかじめ準備したうえで、作業者に対して横引き鹿の子絞りの括りの工程を発注する。
【００３８】
その結果、一粒に対して括り糸を４回巻くのではなく、一粒に対して括り糸を２回巻くことで、これまで４回巻いていたものと同等の防染範囲を実現する。また、４回以外の巻き数のものについても、２回巻くことで同じ防染範囲になるように、撚糸する括り糸の太さを調節して最適な番手の括り糸のコロを準備しておくことで対応する。
【００３９】
図６は、「横引き鹿の子絞り」における括りの工程で、本実施形態の絞り染めの括り方法を用いて、一粒に対して括り糸１Ａを２回巻いた状態を横から示した図である。本実施形態の絞り染めの括り方法では、括り糸１Ａを太くすることで、図７に示す括り糸１Ｂを４巻きした場合と同じ防染範囲となることを示している。
【００４０】
これにより作業者は、従前のように絞り染め製品ごとの括り糸の巻き数を気にすることなく、あらかじめ準備された括り糸１Ａを用いて絞り点３Ａの生地２Ａを２回巻くことで、最適な結果を得ることができる。
【００４１】
図８は、本実施形態の絞り染めの括り方法を用いて、一粒に対して括り糸を２回巻いたものを染め上げた絞り生地の写真であり、図９は、従来の方法により、一粒に対して括り糸を４回巻いたものを染め上げた絞り生地の写真である。
【００４２】
図８、図９の写真が示すように、双方ともに同等の仕上がりとなっている。また、１尺（クジラ尺＝約３７．９センチメートル）に何個の絞り粒を並べるかを表す数字である「立数」では、１８立以上のすべての数値において有効である。
【００４３】
［工程の説明］
本実施形態の絞り染めの加工方法について、図１０のフロー図に基づいて作業の流れを説明する。
【００４４】
（生地準備工程）
はじめに、発注者により絞り染め製品の企画がなされ、絞り点が下絵刷りされた生地が準備される。この工程において、用いられる絞り染めの技法や、染め上げた後の絞り粒の
防染範囲などが決定される（Ｓ２０１）。
【００４５】
なお、この「生地準備工程」は、前述した従来の標準的な分業を説明する図１２においては、「型彫り（Ｓ１０１）」及び「絵刷り（Ｓ１０２）」の工程に含まれる。なお、以降の工程については、図１２で示すところの「括り（Ｓ１０３）」の工程に含まれる。
【００４６】
（基本設計工程）
次に発注者は、生地準備工程で決定した絞り粒の防染範囲になるように、使用する括り糸の番手と巻き数を選定する。ここでは、企画した絞り染め製品の種類に基づいて、伝統的な括り糸の番手と巻き数の組み合わせが選定される（Ｓ２０２）。
【００４７】
（番手算出工程）
次に、基本設計工程において選定された括り糸の番手と巻き数による防染範囲を、２巻きで再現するために必要な括り糸の太さ（番手）を算出する（Ｓ２０３）。
【００４８】
ここで、一例とする絞り染めは、伝統的な括り糸の番手と巻き数の組み合わせが、「綿糸５０／２／４」（５０番手を２本撚りしたものを４本まとめて撚ったもの）の括り糸で、巻き数が「４回」であったとする。
【００４９】
この伝統的な組み合わせにおいて、実際に用いられる括り糸の太さ（番手）を算出すると、「５０番手÷２本撚り÷４本＝６．２５番手」となる。さらに「巻き数」が４回であり、括り糸を４回巻いて防染することになるので、防染に用いる括り糸の総量を「番手」で換算すると「６．２５番手÷４巻き＝１．５６２５番手」に相当する。
【００５０】
この１．５６２５番手（相当）が、一例とする絞り染めにおける防染範囲を決定する数値になるので、２巻きで同じ防染範囲を得る場合には、「１．５６２５番手×２巻き＝３．１２５番手」と算出される。
【００５１】
すなわち、「５０／２／４」の綿糸を括り糸に用いて４巻きしたときの防染範囲を、２巻きで再現するためには、３．１２５番手相当の太さの括り糸が適切であると算出される。
【００５２】
なお、鹿の子絞りの括りの工程においては、絞り粒の一定範囲を防染範囲とするために、巻き数を２回（２巻き）以上とすることが必要である。
【００５３】
具体的には、はじめに巻いた括り糸と次に巻いた括り糸とで、結び目を作ることにより生地に糸をきつく締めた状態を保持しておくことができる。図１１では、巻き数を４回（４巻き）としたときの括り糸の状態を示している。連続する括り糸で結び目を作ることで、括り糸が抜け落ちることを防止し、糸が生地にしっかりと巻きついた状態にすることができる。
【００５４】
そのため、１．５６２５番手の括り糸を１回巻いたとしても結び目は作られず、糸を締めてその状態で保持しておくことができないため、同様の効果は得られない。
【００５５】
（糸巻き製作工程）
次に発注者は、番手算出工程で算出された太さの括り糸をリング式撚糸機で撚って（Ｓ２０４）、作業者が括りの工程で用いるコロ（糸巻き）に巻きつけて（Ｓ２０５）、作業者に支給する（Ｓ２０６）。
【００５６】
（生地括り工程）
作業者は、発注者から供給されたコロを用いて、絞り点が位置する生地を２巻きで括る加工を行う（Ｓ２０７）。すなわち、作業者は絞り染め製品の種類を気にすることなく、２巻きで括ることに専念すればよい。
【００５７】
なお、同一の作業者に依頼した業務に、複数の防染範囲の絞り染めが混在するような場合には、作業者が括り糸を間違えるおそれがあるので、たとえば、コロに着色や目印付けを行い、生地の絞り点と対応させるようにすることで、作業者のミスを防止することができる。
【００５８】
［本実施形態の効果］
以上説明したように、これまで「横引き鹿の子絞り」では、一粒に対して括り糸を４回以上巻いて、その巻き回数により、防染範囲の大きさを変えることとしていたが、本実施形態の絞り染めの括り方法及び絞り染めの括り用糸巻きによれば、生地に対して糸を巻く回数ではなく、括り糸の太さを変化させることで、一粒で２回巻くだけで４回以上巻いた場合と同じ防染範囲を得ることができる。
【００５９】
これにより、加工時間の短縮が可能になり、コストの低減とともに納期の短縮が可能になるという効果を奏する。
【００６０】
また、従前のように長期間をかけて作業者の育成を行う必要がなくなるとともに、これまで困難であった作業者の手配も容易になるという効果を奏する。
【００６１】
さらに、作業者の業務を定型化することができるので、作業者のミスの防止につながり、品質を向上させることができるという効果を奏する。
【符号の説明】
【００６２】
１Ａ，１Ｂ  括り糸
２Ａ，２Ｂ  絞り点
３Ａ，３Ｂ  生地
【図１０】
2014148771.tif 000003
【図１２】
2014148771.tif 000004
【図１】
2014148771.tif 000005
【図２】
2014148771.tif 000006
【図３】
2014148771.tif 000007
【図４】
2014148771.tif 000008
【図５】
2014148771.tif 000009
【図６】
2014148771.tif 000010
【図７】
2014148771.tif 000011
【図８】
2014148771.tif 000012
【図９】
2014148771.tif 000013
【図１１】
2014148771.tif 000014